(57)【要約】【課題】  機種ごとの互換性を保ちながら、電子機器の設定情報を表示し、変更する情報表示システム及び情報表示方法、並びに記録媒体を提供する。【解決手段】  情報表示装置は音響再生装置に設定項目が記述された定義ファイルを問い合わせる（４−１）。音響再生装置の応答（４−２）に基づいて、情報表示装置はそのテキストファイルを予め記憶させたＨＤＤ等の記録媒体から読み込む（４−３）。情報表示装置は４−３で読み込んだテキストファイルと音響再生装置から送信された設定データ（４−４）に基づいて設定項目及び設定値等の設定情報を表示する（４−５）。設定値が変更されると（４−６）、その変更された設定項目の設定データが音響再生装置に送信される（４−７）。音響再生装置は受信した設定データに基づいて設定を変更し音量等を制御する（４−８）。【選択図】  図４
2005038166.tif 000002
【特許請求の範囲】
【請求項１】
電子機器と、該電子機器の設定情報を表示、変更する情報表示装置とから構成され、上記電子機器と上記情報表示装置とが相互に通信可能な情報表示システムであって、
上記情報表示装置は、
上記電子機器の設定データと上記電子機器の設定情報の定義ファイルとに基づいて上記設定情報を表示する表示手段と、
上記表示手段で表示された設定情報を変更制御する制御手段と、
上記変更された設定情報に対応する設定データを上記電子機器に送信する通信手段とを備え、
上記電子機器は、
上記情報表示装置から送信された設定データを受信する通信手段と、
上記通信手段で受信された設定データに基づいて設定状態を制御する制御手段とを備え、
上記定義ファイルは、少なくとも設定される項目名が記載されているテキストファイルである
ことを特徴とする情報表示システム。
【請求項２】
上記定義ファイルは設定項目及び該設定項目の識別データを含むことを特徴とする請求項１に記載の情報表示システム。
【請求項３】
上記設定データは設定項目の識別データ及び設定値からなることを特徴とする請求項１に記載の情報表示システム。
【請求項４】
上記情報表示装置は、上記電子機器に関する定義ファイルが複数あるとき、該複数の定義ファイルから所望の定義ファイルを選択する選択手段をさらに備えることを特徴とする請求項１記載の情報表示システム。
【請求項５】
上記情報表示装置の上記通信手段を介して、上記電子機器に定義ファイル名を要求する要求信号を送信し、応答された定義ファイル名を受信して予め記憶させておいた上記定義ファイルを読み出し制御することを特徴とする請求項１に記載の情報表示システム。
【請求項６】
上記情報表示装置の上記通信手段を介して、上記電子機器に上記定義ファイルを要求する要求信号を送信し、上記電子機器から上記定義ファイルを取得することを特徴とする請求項１に記載の情報表示システム。
【請求項７】
電子機器と、該電子機器の設定情報を表示、変更する情報表示装置とから構成され、上記電子機器と上記情報表示装置とが相互に通信可能な情報表示システムの情報表示方法であって、
上記電子機器の設定情報の定義ファイルを取得する取得ステップと、
上記電子機器から送信された設定データと上記定義ファイルとに基づいて上記設定情報を表示する表示ステップと、
上記表示ステップで表示された設定情報を変更制御する変更ステップと、
上記変更ステップで変更された設定情報に対応する設定データに基づいて上記電子機器の設定状態を制御する制御ステップと
を含むことを特徴とする情報表示方法。
【請求項８】
電子機器と、該電子機器の設定情報を表示、変更する情報表示装置とから構成され、上記電子機器と上記情報表示装置とが相互に通信可能な情報表示システムの情報表示用プログラムが記録されている記録媒体であって、
上記電子機器の設定情報の定義ファイルを取得する取得ステップと、
上記電子機器から送信された設定データと上記定義ファイルとに基づいて上記設定情報を表示する表示ステップと、
上記表示ステップで表示された設定情報を変更制御する変更ステップと、
上記変更ステップで変更された設定情報に対応する設定データに基づいて上記電子機器の設定状態を制御する制御ステップと
を含むことを特徴とするコンピュータが読み取り可能なプログラムが記録されている記録媒体。
【発明の詳細な説明】
【技術分野】
【０００１】
本発明は、他の機器の設定情報を表示、変更して制御するようにした情報表示システム及び情報表示方法、並びに記録媒体に関する。
【背景技術】
【０００２】
近年の家庭やオフィスなどの電子機器には、多機能化を図るために、制御用のＩＣやＲＯＭ等のメモリが搭載されており、さらには、多種の設定項目を表示させるディスプレイが備えられることが多い。しかしながら、そのディスプレイはディジタルカメラやファクシミリのように表示エリアが十分でないことがほとんどである。
【０００３】
そこで、表示機能を有しない機器又は有しても十分でない機器でも、ネットワーク上に接続された表示機器を用いて表示することができる技術が提案されている（例えば、特許文献１参照。）。
【０００４】
一方、近年のＡＶ（Audio Visual）アンプやビデオデッキといった電子機器は、多種の機能を実現するために、その電子機器に接続されるディスプレイに設定項目を表示させ、それを見ながら設定を行うＯＳＤ（On Screen Display）機能を備えている。しかし、このＯＳＤ機能を備える機器は、ディスプレイに繋ぐことができる機器に限られ、設定の変更の際には直接機器を操作しなければならない。また、複雑な設定を行う場合、操作マニュアルを参照しなければならず、ユーザにとって煩わしいものである。さらに、上記電子機器のマイクロコンピュータ（以下、マイコンという）内にＯＳＤプログラムを持たなければならず、機器のコストアップに繋がってしまう。
【０００５】
このようなＯＳＤ機能の問題を解決するために、機器の設定情報をＰＣ（Personal Computer）ディスプレイに表示させるＰＣアプリケーションを機器に添付することが行われている。
【０００６】
【特許文献１】特開２００２−０４９５３９号公報
【発明の開示】
【発明が解決しようとする課題】
【０００７】
しかしながら、上述のような従来の方法では、機器の設定情報はアプリケーションのプログラム内に定義されているので、機器ごとのアプリケーションが必要である。
【０００８】
このように、設定情報の定義を予めＰＣと機器の間で決めてしまうと、表示可能な情報は限られ、それに伴い機器に対して行う制御も限られる。したがって、同じ機器どうしでも機器がバージョンアップした場合、アプリケーションのバージョンアップもしなければならず、新たなアプリケーションの開発やメンテナンスのコストがかかってしまう。
【０００９】
本発明は、このような従来の実情に鑑みて提案されたものであり、機種ごとの互換性を保ちながら、電子機器の設定情報を表示、変更することができる情報表示システム及び情報表示方法、並びに記録媒体を提供することを目的とする。
【課題を解決するための手段】
【００１０】
上述した目的を達成するために、本発明に係る情報表示システムは、電子機器と、該電子機器の設定情報を表示、変更する情報表示装置とから構成され、上記電子機器と上記情報表示装置とが相互に通信可能な情報表示システムであって、上記情報表示装置は、上記電子機器の設定データと上記電子機器の設定情報の定義ファイルとに基づいて上記設定情報を表示する表示手段と、上記表示手段で表示された設定情報を変更制御する制御手段と、上記変更された設定情報に対応する設定データを上記電子機器に送信する通信手段とを備え、上記電子機器は、上記情報表示装置から送信された設定データを受信する通信手段と、上記通信手段で受信された設定データに基づいて設定状態を制御する制御手段とを備え、上記定義ファイルは、少なくとも設定される複数の項目名が記載されているテキストファイルであることを特徴としている。
【００１１】
また、上記定義ファイルは設定項目及び該設定項目の識別データを含むことで、設定項目を分類することが可能となる。
【００１２】
さらに、上記設定データは設定項目の識別データ及び設定値からなることで、変更された項目の設定データのみを電子機器に送信することが可能になる。
【００１３】
さらにまた、上記情報表示装置は、上記電子機器に関する定義ファイルが複数あるとき、該複数の定義ファイルから所望の定義ファイルを選択する選択手段をさらに備えることで、所望の設定情報を表示させることが可能となる。
【００１４】
また、上記情報表示装置の上記通信手段を介して、上記電子機器に定義ファイル名を要求する要求信号を送信し、応答された定義ファイル名を受信して予め記憶させておいた上記定義ファイルを読み出し制御することで、通信のみで表示させることが可能になる。
【００１５】
さらに、上記情報表示装置の上記通信手段を介して、上記電子機器に上記定義ファイルを要求する要求信号を送信し、上記電子機器から上記定義ファイルを取得することで、上記電子機器から直接、定義ファイルを取得することが可能となる。
【００１６】
本発明に係る情報表示方法は、電子機器と、該電子機器の設定情報を表示、変更する情報表示装置とから構成され、上記電子機器と上記情報表示装置とが相互に通信可能な情報表示システムの情報表示方法であって、上記電子機器の設定情報の定義ファイルを取得する取得ステップと、上記電子機器から送信された設定データと上記定義ファイルとに基づいて上記設定情報を表示する表示ステップと、上記表示ステップで表示された設定情報を変更制御する変更ステップと、上記変更ステップで変更された設定情報に対応する設定データに基づいて上記電子機器の設定状態を制御する制御ステップとを含むことを特徴としている。
【００１７】
本発明に係る記録媒体は、電子機器と、該電子機器の設定情報を表示、変更する情報表示装置とから構成され、上記電子機器と上記情報表示装置とが相互に通信可能な情報表示システムの情報表示用プログラムが記録されている記録媒体であって、上記電子機器の設定情報の定義ファイルを取得する取得ステップと、上記電子機器から送信された設定データと上記定義ファイルとに基づいて上記設定情報を表示する表示ステップと、上記表示ステップで表示された設定情報を変更制御する変更ステップと、上記変更ステップで変更された設定情報に対応する設定データに基づいて上記電子機器の設定状態を制御する制御ステップとを含むことを特徴としている。
【発明の効果】
【００１８】
本発明に係る情報表示システム及び情報表示方法、並びに記録媒体によれば、設定データと定義ファイルとに基づいて設定情報を表示することで、互換性のあるアプリケーションを提供することができる。
【００１９】
また、上記定義ファイルは、少なくとも設定される複数の項目名が記載されているテキストファイルであることで、容易に書き換えることができる。
【００２０】
さらに、上記定義ファイルは設定項目及び該設定項目の識別データを含むことで、設定項目を分類することができる。
【発明を実施するための最良の形態】
【００２１】
以下、本発明を適用した具体的な実施の形態について、図面を参照しながら詳細に説明する。図１は、情報表示システムの構成例を示すブロック図である。図１の情報表示システムは、例えばいわゆるＰＣ（Personal Computer）を用いて成る情報表示装置１と、電子機器の例として音響再生装置２とから構成される。情報表示装置１と音響再生装置２はシリアル通信ケーブル（ＲＳ２３２Ｃ、ＵＳＢ、ＩＥＥＥ１３９４等）３で接続されている。情報表示装置１のディスプレイ４には音響再生装置２の設定情報が表示され、音響再生装置２の設定を変更した場合はディスプレイ４の表示情報も更新される。また、情報表示装置１の操作によってディスプレイ４の表示情報を変更した場合、音響再生装置２の設定も更新される。
【００２２】
図１に示す情報表示システムにおいて、例えば、音響再生装置２に添付されたＣＤ−ＲＯＭからアプリケーションプログラムを情報表示装置１にインストールする。ＣＤ−ＲＯＭドライブ９から入手したアプリケーションプログラム及び設定情報定義ファイルは入出力インターフェイス１０ａを介してハードディスク装置（ＨＤＤ）８に保存される。このＣＤ−ＲＯＭには、さらに音響再生装置２の設定項目等が記述された定義ファイルが入っており、複数の定義ファイルをＨＤＤ８に蓄積させることができる。この設定情報定義ファイルは階層構造をテキストデータで表現したものであり、後述するように、設定データでその設定項目及びその値を表すことができる。なお、アプリケーションプログラム及び設定情報定義ファイルはインターネット等の様々な媒体から入手可能としてもよい。
【００２３】
ＣＰＵ（Central Processing Unit）５は内部バス１１を介してＲＯＭ６又はＨＤＤ８に保存されているそのプログラムを読み出し、実行する。ＲＡＭ７は、ＣＰＵ５が実行するプログラム、そのプログラムの実行により生じた設定値等を一時保存する。ＣＰＵ５の処理結果は入出力インターフェイス１０ｄを介してディスプレイ４に表示され、また音響再生装置２に入出力インターフェイス１０ｃを介して送信される。
【００２４】
音響再生装置２は情報表示装置１とシリアル通信ケーブル３で接続され、入出力インターフェイス１２を介して相互通信する。信号処理部１４は、制御部１３から入力された制御信号に基づいて、音量等の制御を行う。
【００２５】
次に、互換性を保つための設定情報の定義ファイルと設定データの対応関係について説明する。
【００２６】
定義ファイルには少なくとも設定される複数の項目名が記載されているテキストデータが順番に入っており、その順番に対応する設定値は設定データとして扱われる。例えば、設定項目が「A,B,C」の順番で表示される定義ファイルであれば、その項目の順番に対応する設定値［a,b,c］を設定データとすればよい。
【００２７】
また、定義ファイルの設定項目に識別データ（あるいは表示位置を示すアドレスデータ）を付してもよい。例えば、「1,A,2,B,3,C」のように設定項目に識別データを付した組を複数組持つ定義ファイルとすることができる。この場合、設定データは［1,a,2,b,3,c］と表されるが、アドレス値との対応により設定値を確認できることから、［2,b,3,c,1,a］のように順番を変えることもでき、さらには、［2,b'］のように変更された設定値のみを設定データとすることもできる。
【００２８】
また、この識別データを付した設定情報の定義ファイルは、階層的なデータ構造に拡張することができる。そのことについて、図２及び図３を参照にして説明する。図２は設定情報の定義ファイル例の一部を示す図であり、図３は図２の設定情報の表示例を示す図である。すなわち、図２に示す定義ファイルの例えば、小項目「Front Bass Gain」が設定項目であり、その設定項目の前に付されている「2,0,0」が識別データである。なお、図２中の「$(EQUALIZER)」の$は大項目を示しており、「#(EQ BANK1)」の#は中項目を示している。また、定義ファイルには、例えば、「Front Bass Gain」についていえば、その設定項目の設定値の範囲「-20 to 20」や単位等の詳細な情報「-10dB:(-20) to +10dB:(20)」も含んでいる。
【００２９】
図２の定義ファイルは図３の表示例の左フレームに示すように３階層の構造をもつファイルである。この階層構造の上から位置（アドレス）を表す数が０、１、２…と割り振られる。したがって、例えば、設定項目「Front Bass Gain」は、大項目の上から３番目の「$(EQUALIZER)」、中項目の上から１番目の「#(EQ BANK1)」、小項目の上から１番目であるので、その識別データは「2,0,0」で表される。
【００３０】
設定データは上述した識別データに設定値を付せばよく、例えば、図３に示す設定項目「Front Bass Gain」の値「0」を表す設定データは［2,0,0,0］となる。
【００３１】
以上、説明したように、設定項目と設定値の対応関係を音響再生装置等の電子機器側が定義しファイル化すれば、アプリケーションの互換性を保つことができる。
【００３２】
また、定義ファイルをテキストファイルとすれば、設定項目の項目名を変更することは容易なので、多国語にも対応することができ、また、例えば全く別の音響再生装置の設定情報においてもその機器専用のテキストファイルを作成するだけでよい。
【００３３】
さらに、設定データは設定項目の位置を示す識別データにその設定値を付すようにすれば、表示された設定値を変更した場合、変更された項目の設定データのみを電子機器に送信すればよいので、情報表示装置と電子機器間のデータ量を少なくすることができる。
【００３４】
図４は音響再生装置２の設定情報を表示、変更するまでの手順を説明する図である。まず、例えば、音響再生装置２に添付されたＣＤ−ＲＯＭ等からアプリケーションプログラム及び音響再生装置２の設定情報の定義ファイル（テキストファイル）を情報表示装置１にインストールしておく。定義ファイルは設定項目と設定値との対応関係をテキストファイルで定義している。
【００３５】
情報表示装置１は音響再生装置２に設定項目が記述されたテキストファイル名を問い合わせ（４−１）、それに対して、音響再生装置２は４−１の問い合わせに応答する（４−２）。応答されたテキストファイル名に基づいて、情報表示装置１はそのテキストファイルを予め記憶させたＨＤＤ８等の記録媒体から読み込む（４−３）。情報表示装置１は４−３で読み込んだテキストファイルと音響再生装置２から送信された設定データ（４−４）に基づいて設定項目及び設定値等の設定情報を表示する（４−５）。表示された設定項目はマウス及びキーボードの入力によって変更することができる。また、設定値が変更されると（４−６）、その変更された設定項目の設定データが音響再生装置２に送信される（４−７）。音響再生装置２は受信した設定データに基づいて設定を変更し音量等を制御する（４−８）。
【００３６】
なお、図４に示す設定データの例は設定項目の位置を表す識別データと設定値とから成っているが、上述したように設定値のみを設定データとしてもよい。
【００３７】
また、上記手順では、情報表示装置１に予め定義ファイルを記憶させていたが、音響再生装置２からその定義ファイルを入手するようにしてもよい。この場合、情報表示装置１は定義ファイルを要求し、それに対して音響再生装置２はＲＯＭ等に格納しておいた定義ファイルを送信する。
【００３８】
以上、説明した手順のように、定義ファイルで定義された設定データの送受信のみで、音響再生装置２の設定を変更することができ、互換性が保たれる。
【００３９】
上述の方法では定義ファイルのファイル名を問い合わせて、そのテキストファイル名に対応する１種類の定義ファイルを読み込んだが、例えば、電子機器に関する定義ファイルが複数存在する場合でも、それらが入ったフォルダ名を問い合わせるようにして、所望の定義ファイルを選択するようにしてもよい。そのことについて、図５及び図６を用いて説明する。図５において、まず、情報表示装置１は音響再生装置２に設定情報の定義ファイルが入っているフォルダ名を問い合わせる（５−１）。音響再生装置２は５−１の問い合わせに応答する（５−２）。この例では、図６の９０００フォルダが相当し、そのフォルダにはENU.txtの英語ファイルとJPN.txtの日本語ファイルが入っている。情報表示装置１は応答されたフォルダ名のフォルダの中に複数の定義ファイルがあれば、そのうち一つの定義ファイルを選択するための定義ファイル選択画面を表示する（５−３）。図６の例では、ENU.txtの英語ファイルとJPN.txtの日本語ファイルがある。そして、ユーザが言語選択後、選択言語の定義ファイルをＨＤＤ８等の記録媒体から読み込む（５−４）。情報表示装置１は５−４で読み込んだテキストファイルと音響再生装置２から送信された設定データ（５−５）に基づいて設定項目及び設定値等の設定情報を表示する（５−６）。
【００４０】
なお、情報表示装置１に予めそのフォルダを記憶させておかなければならないが、上述したように音響再生装置２からそのフォルダ及び定義ファイルを入手するようにしてもよい。
【００４１】
このように、フォルダ名を問い合わせるようにすれば、フォルダ内に多くのテキストデータを入れることができるので、多国語や個人の好みの設定項目名にすることもできる。
【００４２】
また、テキストファイルの代わりにＨＴＭＬファイルやＸＭＬファイルを用いてもよい。例えば、識別データに相当するタグを対応づけて設定値を記載するようにすればよい。ＨＴＭＬファイル等を用いれば、イラスト等を挿入することも可能となり、また、説明するファイルとリンクすることもできるので、ユーザには使いやすいものとなる。
【００４３】
さらに、テキストデータにより設定項目を一覧表示することができるので、ユーザはどんな設定が可能か一目でわかり、音響再生装置の少ない設定ボタン等をさわらなくても表示された設定項目の設定値を変更できる。
【００４４】
なお、本発明は上述した実施の形態のみに限定されるものではなく、本発明の要旨を逸脱しない範囲において種々の変更が可能であることは勿論である。
【図面の簡単な説明】
【００４５】
【図１】情報表示システムの構成例を示すブロック図である。
【図２】図２は設定情報の定義ファイル例の一部を示す図であり。
【図３】図３は図２の設定情報の表示例を示す図である。
【図４】音響再生装置の設定情報を表示、変更するまでの手順を説明する図である。
【図５】複数の設定定義ファイルが入ったフォルダに対応した音響再生装置の設定情報を表示するまでの手順を説明する図である。
【図６】多国語に対応した設定情報が入ったフォルダ例を示す図である。
【符号の説明】
【００４６】
１  情報表示装置、  ２  音響再生装置、  ３  シリアル通信ケーブル、  ４  ディスプレイ、  ５  ＣＰＵ、  ６  ＲＯＭ、  ７  ＲＡＭ、  ８  ハードディスク装置（ＨＤＤ）、  ９  ＣＤ−ＲＯＭドライブ、  １０ａ〜ｄ  入出力インターフェイス、  １１  内部バス、  １２  入出力インターフェイス、  １３  制御部、  １４  信号処理部
【図１】
2005038166.tif 000003
【図２】
2005038166.tif 000004
【図３】
2005038166.tif 000005
【図４】
2005038166.tif 000006
【図５】
2005038166.tif 000007
【図６】
2005038166.tif 000008